(57)【要約】【課題】マットレスが載置部材から位置ずれしてしまうことを抑制でき、かつ、マットレスおよび載置部材との装着を簡便な作業で行うことができるカバー部材を提供する。【解決手段】カバー部材１００は、マットレス２００が載置される底部１１１と、マットレスの外周側面を囲むように配置される側部１１３と、を備える本体部１１０と、本体部の長手方向の一端部１１０ａ側に設けられ、底部を挟んでマットレスと対向するように配置される載置部材３００の長手方向の一端部３００ａを挿入可能なフード部１２０と、を備えている。【選択図】図１
2019198555.tif 000002
【特許請求の範囲】
【請求項１】
マットレスが載置される底部と、前記マットレスの外周側面を囲むように配置される側部と、を備える本体部と、
前記本体部の長手方向の一端部側に設けられ、前記底部を挟んで前記マットレスと対向するように配置される載置部材の長手方向の一端部を挿入可能なフード部と、備えるカバー部材。
【請求項２】
前記フード部は、前記フード部の高さ寸法を調整可能な調整部材を有する、請求項１に記載のカバー部材。
【請求項３】
前記調整部材は、前記フード部の一部を撓んだ状態で保持可能であるとともに、前記保持した状態の解除が可能なファスナーを有する、請求項２に記載のカバー部材。
【請求項４】
前記フード部は、前記載置部材が挿入される空間部と、前記空間部に連通する開口部と、を有し、
前記開口部の周辺部には、前記フード部の他の部位よりも伸縮性が高い外力吸収部が設けられている、請求項１〜３のいずれか１項に記載のカバー部材。
【請求項５】
前記マットレスは、流体の送給および排出に伴って膨張収縮可能なセルを備える圧切替型のマットレスであり、
前記載置部材は、静止型のマットレス、布団、およびベッド装置の床板の少なくとも一つを含む、請求項１〜４のいずれか項に記載のカバー部材。
【発明の詳細な説明】
【技術分野】
【０００１】
本発明は、マットレスおよび載置部材との装着が可能なカバー部材に関する。
【背景技術】
【０００２】
寝返りや体位変換を行うことが困難な療養者や要介護者等（以下、使用者とする）が床ずれ（褥瘡）を発症することを防止するために提供されるマットレスとして、空気等の流体の送給および排出に伴って膨張収縮するセルを備える、いわゆる「圧切替型のマットレス」が知られている（特許文献１を参照）。
【先行技術文献】
【特許文献】
【０００３】
【特許文献１】特開２０１４−２２６２６４号公報
【発明の概要】
【発明が解決しようとする課題】
【０００４】
一般的に、圧切替型のマットレスを使用する際、圧切替型のマットレスは、ベッドマットレス、布団、介護用ベッド装置の床板、医療用ベッド装置の床板などの載置部材上に載置される。使用者は、載置部材上に載置された圧切替型のマットレス上に、横たわったり、寝そべったりする。使用者が圧切替型のマットレスを使用している間、圧切替型のマットレスが載置部材から位置ずれしてしまうと、使用者の身体の各部を圧切替型のマットレスにより適切に支持することが困難になる。特に、載置部材が、背上げ機能を備える介護用ベッド装置や医療用ベッド装置の床板である場合、圧切替型のマットレスに使用者を載置した状態でベッド装置の背上げ動作を行うと、圧切替型のマットレスが使用者の足側へずれてしまうことがある。ベッド装置の背上げ動作を繰り返し行うと、上記のような圧切替型のマットレスのずれは、より一層大きくなる。そのため、マットレスを所定の載置部材上に載せて使用する場合、マットレスに位置ずれが生じることのないようにするために、種々の対策を講じる必要がある。
【０００５】
本発明は、上記事情に鑑みてなされたものであり、マットレスが載置部材から位置ずれしてしまうことを抑制でき、かつ、マットレスおよび載置部材との装着を簡便な作業で行うことができるカバー部材を提供することを目的とする。
【課題を解決するための手段】
【０００６】
カバー部材は、マットレスが載置される底部と、前記マットレスの外周側面を囲むように配置される側部と、を備える本体部と、前記本体部の長手方向の一端部側に設けられ、前記底部を挟んで前記マットレスと対向するように配置される載置部材の長手方向の一端部を挿入可能なフード部と、を備える。
【発明の効果】
【０００７】
カバー部材は、当該カバー部材の本体部にマットレスを配置し、当該カバー部材のフード部に載置部材の長手方向の一端部を挿入する簡便な作業により、マットレスおよび載置部材との装着を行うことができる。そして、カバー部材は、マットレスおよび載置部材と装着された状態において、マットレスが載置部材から位置ずれしてしまうことを抑制できる。
【図面の簡単な説明】
【０００８】
【図１】カバー部材の使用例を示す斜視図である。
【図２】マットレス、載置部材、およびカバー部材を示す分解斜視図である。
【図３】カバー部材の一部を拡大して示す図である。
【図４】カバー部材の一部を拡大して示す図である。
【発明を実施するための形態】
【０００９】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１０】
図１は、カバー部材１００の使用状態を示す斜視図であり、図２は、マットレス２００および載置部材３００をカバー部材１００から取り外した状態を示す斜視図であり、図３および図４は、カバー部材１００が備える外力吸収部１２５および調整部材１２８を説明するための部分拡大図である。
【００１１】
図１および図２に示すように、本実施形態に係るカバー部材１００は、概説すると、マットレス２００が載置される底部１１１およびマットレス２００の外周側面２０３を囲むように配置される側部１１３を備える本体部１１０と、本体部１１０の長手方向の一端部１１０ａ側に設けられ、底部１１１を挟んでマットレス２００と対向するように配置される載置部材３００の長手方向の一端部３００ａを挿入可能なフード部１２０と、を有している。
【００１２】
各図面に付した矢印Ｘは、カバー部材１００、マットレス２００、および載置部材３００の長手方向（使用者が横たわる方向）を示し、矢印Ｙは、カバー部材１００、マットレス２００、および載置部材３００の幅方向を示し、矢印Ｚは、カバー部材１００、マットレス２００、載置部材３００の高さ（厚さ）方向を示している。
【００１３】
図１および図２に示すように、カバー部材１００の本体部１１０が備える底部１１１には、マットレス２００の底面２０２を載置することができる。本体部１１０の底部１１１の周囲には、側部１１３が設けられている。底部１１１と側部１１３は、マットレス２００を収容可能な空間部１１５を形成する。
【００１４】
マットレス２００は、本体部１１０の底部１１１にマットレス２００の底面２０２が載置されて、本体部１１０の側部１１３によりマットレス２００の外周側面２０３が囲まれた状態で、本体部１１０の空間部１１５に収容される。なお、本体部１１０が備える底部１１１および側部１１３の具体的な形状や寸法等は、マットレス２００を本体部１１０に対して装着可能な限り、特に限定されない。
【００１５】
マットレス２００は、例えば、圧切替型のマットレスで構成することができる。圧切替型のマットレスとしては、例えば、流体（例えば、空気）が送給される内部空間が設けられたセルを備える公知のものを用いることができる。なお、セルの具体的な構造（形状、個数、並べ方等）、流体供給系統のグループ数、膨張収縮の制御パターン等は、特に限定されない。また、図示省略するが、マットレス２００には、流体を送給するためのチューブが設けられている。また、マットレス２００には、マットレス２００の膨張収縮を制御するコントローラ等が適宜備えられる。
【００１６】
図３に示すように、カバー部材１００のフード部１２０は、載置部材３００の一端部３００ａが挿入可能な空間部１２１と、空間部１２１に連通する開口部１２３と、を備えている。
【００１７】
マットレス２００は、載置部材３００の一端部３００ａがフード部１２０の空間部１２１に挿入されて引っ掛けられた状態（図１および図３に示す状態）となることにより、カバー部材１００を介して載置部材３００に対する相対的な位置が拘束される。このようにして、カバー部材１００は、本体部１１０の空間部１１５に収容されたマットレス２００の位置ずれを抑制することができる。
【００１８】
なお、カバー部材１００は、マットレス２００および載置部材３００の相対的な位置関係を厳密に維持するように構成されていなくてもよい。例えば、カバー部材１００は、マットレス２００および載置部材３００の使用状態において不具合（使用者の身体の一部がマットレス２００により支持されない状態等）が生じることのない程度にマットレス２００の位置ずれを抑制するように構成されていればよい。そのため、本体部１１０の空間部１１５は、本体部１１０にマットレス２００が配置された状態で、マットレス２００が多少移動し得るような大きさや形状で構成することも可能である。
【００１９】
マットレス２００の位置ずれを防止するための対策として、例えば、マットレス２００の長手方向の各端部に垂れ幕状のエプロン（布材等）を設け、このエプロンを載置部材３００の底面３０２側に巻き込むように配置する方法が考えられる。しかしながら、このような方法を採用した場合、使用者がマットレス２００上に横たわっている間に、使用者の自重等により、マットレス２００の位置が次第にずれてしまうことが懸念される。また、マットレス２００および載置部材３００を使用する都度、マットレス２００に設けられたエプロンを上記のように載置部材３００の底面３０２側に巻き込むように配置する作業を行うと、その分、使用者の作業負担が増加する。前述したように、カバー部材１００は、フード部１２０に挿入された載置部材３００の一端部３００ａがフード部１２０に物理的に引っ掛かることにより、載置部材３００に対するマットレス２００の相対的な位置を保持するため、使用している最中にマットレス２００に位置ずれが生じるのを好適に防止することができる。また、フード部１２０に載置部材３００の一端部３００ａを挿入する簡便な作業により、カバー部材１００を載置部材３００と装着することができるため、使用を開始する際の作業負担を大幅に軽減することができる。
【００２０】
載置部材３００としては、例えば、静止型のマットレス（流体の送給・排出により圧力を切り替える構造を備えないマットレス）、布団、ベッド装置の床板（介護用ベッド装置や医療用ベッド装置の床板等）、またはこれらを任意に組み合わせたものを用いることができる。
【００２１】
フード部１２０の長手方向の寸法は、載置部材３００の一端部３００ａを長手方向に沿う任意の長さで挿入可能な限り、特に限定されない。また、フード部１２０の空間部１２１の形状や開口部１２３の形状も同様に、載置部材３００の一端部３００ａを挿入可能な限り、特に限定されない。また、フード部１２０は、本体部１１０に対して一体的に接続された構造を有するが、例えば、本体部１１０に対して着脱可能に構成してもよい。フード部１２０を本体部１１０に対して着脱可能に構成する場合、例えば、ボタンや面ファスナー等の着脱を可能にする部材を本体部１１０およびフード部１２０に設けることができる。
【００２２】
図３および図４に示すように、フード部１２０は、フード部１２０の高さ寸法（空間部１２１の高さ寸法）を調整可能な調整部材１２８を有している。
【００２３】
調整部材１２８は、フード部１２０の一部を撓んだ状態で保持可能であるとともに、保持した状態の解除が可能なファスナーにより構成している。
【００２４】
調整部材１２８を構成するファスナーは、フード部１２０の長手方向に沿って設けられたエレメント（務歯）１２８ａと、エレメント１２８ａに沿ってスライド可能なスライダ１２８ｂと、を備えている。
【００２５】
図示省略するが、エレメント１２８ａは、フード部１２０の外周全体に沿って形成されている。スライダ１２８ｂは、エレメント１２８ａに沿ってフード部１２０の外周全体に沿ってスライド移動可能に構成している。
【００２６】
図３に示すように、調整部材１２８は、フード部１２０の空間部１２１側にフード部１２０の一部が撓むように変形した撓み部１２０ａが形成された状態を維持することにより、フード部１２０の高さ寸法ｈ１を所定の大きさに保持する。また、図４に示すように、調整部材１２８は、スライダ１２８ｂがエレメント１２８ａに沿ってスライドすることにより、撓み部１２０ａが形成された状態を解除する。フード部１２０は、撓み部１２０ａが消失してフード部１２０が伸長すると、空間部１２１および開口部１２３の高さ寸法ｈ２を、撓み部１２０ａが形成されていた状態よりも大きくなるように広げることができる。なお、スライダ１２８ｂをエレメント１２８ａに沿ってスライドし、フード部１２０に撓み部１２０ａを再度形成することにより、フード部１２０の高さ寸法を、図３に示す大きさに調整することが可能である。
【００２７】
上記のように、調整部材１２８を利用してフード部１２０の高さ寸法を調整することにより、例えば、異なる厚み寸法を有する複数種類の載置部材３００に対して、一つのカバー部材１００を使い回すことが可能になる。
【００２８】
なお、調整部材１２８の具体的な構造は、特に限定されない。調整部材１２８は、例えば、面ファスナー、ボタン、その他の機械式の接続機構等により構成することも可能である。また、例えば、調整部材１２８は、フード部１２０の高さ寸法を二つの大きさに調整可能に構成されたものに限定されず、三つ以上の大きさに調整可能に構成されたものでもよい。このように構成する場合、例えば、調整部材１２８は、フード部１２０の高さ方向の異なる位置に複数個配置することができる。
【００２９】
図３および図４に示すように、フード部１２０が備える開口部１２３の周辺部には、フード部１２０の他の部位（外力吸収部１２５が設けられた部位を除く部位）よりも伸縮性が高い外力吸収部１２５が設けられている。
【００３０】
外力吸収部１２５は、開口部１２３に対して過剰な外力が付与された際に、その外力を吸収することにより、フード部１２０が破損（本体部１１０とフード部１２０とを縫い止める縫製部の解れ、フード部１２０の生地の破れ等）することを防止できる。
【００３１】
外力吸収部１２５は、例えば図示するように、外力が掛かり易い開口部１２３側により大きな面積を有し、開口部１２３から離れるにしたがって面積が小さくなる三角形の形状に形成することができる。ただし、外力吸収部１２５を設ける位置、個数、外力吸収部１２５の大きさ、外力吸収部１２５の形状等は、図示したものに限定されない。
【００３２】
カバー部材１００が備える本体部１１０およびフード部１２０は、例えば、織布、不織布、ナイロン、硬質樹脂製の布材等で構成することができる。また、フード部１２０に設けられる外力吸収部１２５は、フード部１２０の本体部分を構成する材料よりも伸縮性が高い材料であれば特に限定されないが、例えば、弾性変形可能な樹脂製の繊維材（ゴム帯等）で構成することができる。また、外力吸収部１２５は、例えば、接着や縫合等によりフード部１２０に取り付けることができる。
【００３３】
以上、本実施形態に係るカバー部材１００は、マットレス２００が載置される底部１１１と、マットレス２００の外周側面２０３を囲むように配置される側部１１３と、を備える本体部１１０と、本体部１１０の長手方向の一端部１１０ａ側に設けられ、本体部１１０の底部１１１を挟んでマットレス２００と対向するように配置される載置部材３００の長手方向の一端部３００ａを挿入可能なフード部１２０と、を備えている。
【００３４】
カバー部材１００は、当該カバー部材１００の本体部１１０にマットレス２００を配置し、当該カバー部材１００のフード部１２０に載置部材３００の長手方向の一端部３００ａを挿入する簡便な作業により、マットレス２００および載置部材３００との装着を行うことができる。そして、カバー部材１００は、マットレス２００および載置部材３００と装着された状態において、マットレス２００が載置部材３００から位置ずれしてしまうことを抑制できる。
【００３５】
また、カバー部材１００のフード部１２０は、フード部１２０の高さ寸法を調整可能な調整部材１２８を有する。そのため、調整部材１２８を利用してフード部１２０の高さ寸法を調整することにより、異なる厚み寸法を有する複数種類の載置部材３００に対してカバー部材１００を共用することが可能となる。
【００３６】
また、カバー部材１００の調整部材１２８は、フード部１２０の一部を撓んだ状態で保持可能であるとともに、保持した状態の解除が可能なファスナーを有する。そのため、ファスナーをスライド移動させる簡便な作業により、フード部１２０の高さ寸法を調整することができる。
【００３７】
また、カバー部材１００のフード部１２０は、載置部材３００が挿入される空間部１２１と、空間部１２１に連通する開口部１２３と、を有し、開口部１２３の周辺部には、フード部１２０の他の部位よりも伸縮性が高い外力吸収部１２５が設けられている。そのため、カバー部材１００は、フード部１２０の開口部１２３に対して過剰な外力が付与された際に、外力吸収部１２５により外力を吸収することができ、フード部１２０が破損することを好適に防止することができる。
【００３８】
また、マットレス２００は、流体の送給および排出に伴って膨張収縮可能なセルを備える圧切替型のマットレスであり、載置部材３００は、静止型のマットレス、布団、およびベッド装置の床板の少なくとも一つを含む。そのため、カバー部材１００は、圧切替型のマットレス２００上に使用者が載置される使用状態において、マットレス２００が載置部材３００から位置ずれすることを好適に防止することができる。
【００３９】
以上、実施形態を通じて本発明に係るカバー部材を説明したが、本発明は明細書内で説明した内容のみに限定されるものでなく、特許請求の範囲の記載に基づいて種々改変することが可能である。
【００４０】
例えば、実施形態の説明では、マットレスが圧切替型のマットレスであり、載置部材が静止型のマットレス、布団、およびベッド装置の床板の少なくとも一つ含む形態を説明したが、使用時におけるマットレスおよび載置部材の組み合わせは、マットレスの位置ずれに伴う課題が生じ得る限り、これらに限定されない。
【００４１】
また、カバー部材は、マットレスが配置される本体部と載置部材の一端部が挿入されるフード部と、を有する限りにおいて具体的な構成等は特に限定されず、例えば、各部の形状、材質、付加的な部材の追加または省略等の変更は任意に行い得る。例えば、カバー部材の外形形状は、図示により説明した形状のみに限定されることはなく、装着対象となるマットレスおよび載置部材の外形形状に応じて適宜変更することができる。
【符号の説明】
【００４２】
１００  カバー部材、
１１０  本体部、
１１０ａ  本体部の一端部、
１１１  底部、
１１３  側部、
１１５  空間部、
１２０  フード部、
１２０ａ  撓み部、
１２１  空間部
１２３  開口部、
１２５  外力吸収部、
１２８  調整部材（ファスナー）、
１２８ａ  エレメント、
１２８ｂ  スライダ、
２００  マットレス、
２０２  マットレスの底面、
２０３  マットレスの外周側面、
３００  載置部材、
３００ａ  載置部材の一端部、
３０２  載置部材の底面。
【図１】
2019198555.tif 000003
【図２】
2019198555.tif 000004
【図３】
2019198555.tif 000005
【図４】
2019198555.tif 000006